(57)【要約】【課題】水槽内の水位を必要以上に低下させることなく、水槽底部に滞留乃至堆積する異物を効率よく排出できるようにする。【解決手段】水槽内に水中ポンプ及び配管類を設置して該水槽内の液体を排水する排水ポンプ装置において、水中ポンプの吐出側にエジェクタを設け、このエジェクタの吸込管の吸込口を水中ポンプの吸込口よりも下方まで延出させた。【選択図】図２
2008274781.tif 000002
【特許請求の範囲】
【請求項１】
水槽内に水中ポンプ及び配管類を設置して該水槽内の液体を排水する排水ポンプ装置において、
水中ポンプの吐出側にエジェクタを設け、このエジェクタの吸込管の吸込口を前記水中ポンプの吸込口よりも下方まで延出させたことを特徴とする排水ポンプ装置。
【請求項２】
前記エジェクタの吸込管に、吸込みの場合に流路を開き、排出の場合に流路を閉じるチェッキ弁を設置したことを特徴とする請求項１記載の排水ポンプ装置。
【請求項３】
水中ポンプの着脱装置を更に有し、前記エジェクタは、前記着脱装置の後流側に設置されていることを特徴とする請求項１または２記載の排水ポンプ装置。
【請求項４】
水中ポンプの着脱装置を更に有し、前記エジェクタは、水中ポンプと該水中ポンプの着脱装置と間に設置され、水中ポンプに組付けられて着脱装置のガイドパイプに沿って上下動できるように構成されていることを特徴とする排水ポンプ装置。
【発明の詳細な説明】
【技術分野】
【０００１】
本発明は、例えば汚水排水槽等の水槽内に設置され、水槽底部に滞留乃至堆積する異物を効率よく排出して、水槽底部に滞留乃至堆積する異物による悪臭を防止するようにした排水ポンプ装置に関する。
【背景技術】
【０００２】
従来、例えば汚水発生源と下水処理場を結ぶ汚水流下配管系の適所に配置されるマンホールなどの汚水排水槽内に配置される排水ポンプ装置にあっては、水槽底部に悪臭の原因となる異物を滞留乃至堆積させることなく、水槽内の汚水を排水することが求められている。このため、水槽の底部に、例えば旋回流を発生させる渦巻き状の凹部を設け、この凹部内に下方に延出した吸込部の吸込口が位置するように水中ポンプを水槽内に設置して、水中ポンプの運転に伴って、水槽内の汚水に旋回流を生じさせながら水槽内の汚水を排水するようにしたものが提案されている（例えば、特許文献１，２参照）。
【０００３】
【特許文献１】特開平９−２０９９９２号公報
【特許文献２】特開２００４−５２３９６号公報
【発明の開示】
【発明が解決しようとする課題】
【０００４】
しかしながら、水槽の底部に設けた凹部内に吸込口が位置するように水槽内に水中ポンプを設置しても、水槽の凹部底部に滞留乃至堆積する異物を確実に吸い取るためには、水槽内の水位が低下してもポンプ運転を継続する必要があり、水槽内の水位が必要以上に低下すると、水中ポンプのモータが気中に露出するとともに、吸込側からポンプ内部に空気を吸込む可能性も大きくなる。そして、水中ポンプのモータが気中に露出すると、モータが冷却不足になって過熱し、この結果、保護装置が作動して、ポンプが停止したり、ベアリング等に悪影響を及ぼしたりする。また、吸込側からポンプの内部に空気を吸込むと、ポンプが正常に運転しなくなってポンプの吸込性能が低下してしまう。
【０００５】
本発明は上記事情に鑑みて為されたもので、水槽内の水位を必要以上に低下させることなく、水槽底部に滞留乃至堆積する異物を効率よく排出できるようにした排水ポンプ装置を提供することを目的とする。
【課題を解決するための手段】
【０００６】
請求項１に記載の発明は、水槽内に水中ポンプ及び配管類を設置して該水槽内の液体を排水する排水ポンプ装置において、水中ポンプの吐出側にエジェクタを設け、このエジェクタの吸込管の吸込口を前記水中ポンプの吸込口よりも下方まで延出させたことを特徴とする排水ポンプ装置である。
【０００７】
これにより、水槽の水位が、水槽内に設置した水中ポンプの吸込口より高い位置にある状態で、したがって、モータを水没状態で運転してモータ過熱を防ぎながら、水中ポンプを運転することで、水槽の底部に滞留乃至堆積する異物を、吸込口を水中ポンプの吸込口の下方まで延出させたエジェクタの吸込管を通して吸い上げて排出することができる。
【０００８】
請求項２に記載の発明は、前記エジェクタの吸込管に、吸込みの場合に流路を開き、排出の場合に流路を閉じるチェッキ弁を設置したことを特徴とする請求項１記載の排水ポンプ装置である。
これにより、水槽内に設置した水中ポンプで汲み上げた流体がエジェクタの吸込管を逆流して水槽内に戻ってしまうことを防止することができる。
【０００９】
請求項３に記載の発明は、水中ポンプの着脱装置を更に有し、前記エジェクタは、前記着脱装置の後流側に設置されていることを特徴とする請求項１または２記載の排水ポンプ装置である。
【００１０】
請求項４に記載の発明は、水中ポンプの着脱装置を更に有し、前記エジェクタは、水中ポンプと該水中ポンプの着脱装置と間に設置され、水中ポンプに組付けられて着脱装置のガイドパイプに沿って上下動できるように構成されていることを特徴とする排水ポンプ装置である。
これにより、エジェクタのメンテナンスや交換等を容易かつ敏速に行うことができる。
【発明の効果】
【００１１】
本発明の排水ポンプ装置によれば、水槽の水位を必要以上に低下させることなく、したがって、モータを水没状態で運転してモータ過熱を防ぎながら、水中ポンプを運転することで、水槽底部に滞留乃至堆積する異物を排出することができる。また、低水位でのポンプ運転を避けられるので、ポンプが空気を吸込み正常運転ができなくなることを防止することもできる。更に、水槽底部の構造の凹凸を小さくすることもできるため、水槽の製造及び排水ポンプ装置の設置が容易になる。
【発明を実施するための最良の形態】
【００１２】
以下、本発明の実施の形態を図面を参照して説明する。なお、以下の説明において、同一または相当する部材には、同一符号を伏して、重複した説明を省略する。
【００１３】
図１及び図２は、本発明の実施の形態の排水ポンプ装置１０を、例えばマンホールを含む汚水排水槽等の水槽１２内に設置した状態を示す。図１に示すように、排水ポンプ装置１０は、縦型の水中ポンプ１４、水中ポンプ１４の着脱装置１６及び鉛直方向に上方に延びる吐出管１８とから主に構成され、この吐出管１８に鉛直方向に下方に延びる吸込管２０を有するエジェクタ２２が設置されている。
【００１４】
図２に示すように、水中ポンプ１４は、その吸込口（ポンプ吸込口）１４ａを下向きにして配置され、ポンプ吸込口１４ａの周囲はストレーナ２４で包囲されている。この水中ポンプ１４は、着脱装置１６の一対のガイドレール２６に沿って上下動して、水槽１２内の所定の位置に設置されるように構成され、水中ポンプ１４の吐出口（ポンプ吐出口）１４ｂは、着脱装置１６内の流路１６ａを介して、吐出管１８のエルボ管２８に連通している。そして、吐出管１８のエルボ管２８と鉛直管３０との間にエジェクタ２２が設置されている。
【００１５】
エジェクタ２２は、エルボ管２８に連結された噴流ノズル３２と、この噴流ノズル３２の周囲を包囲するディフューザ３４とを有し、このディフューザ３４に鉛直管３０が連結されている。そして、このディフューザ３４に設けられた吸込口（ディフューザ吸込口）３４ａに、エルボ状のチェッキ弁３６を介して吸込管２０が連結されている。このチェッキ弁３６の内部には、吸込の場合は流路を開き、吐出の場合は流路を閉じるように、ボール３８が配置されている。
【００１６】
エジェクタ２２の吸込管２０下端の吸込口（吸込管吸込口）２０ａは、水中ポンプ１４の吸込口（ポンプ吸込口）１４ａよりも下方に延出するように、つまり、吸込管吸込口２０ａの高さ方向に沿った位置は、ポンプ吸込口１４ａの高さ方向に沿った位置よりも距離Ｈだけ低くなるようになっている。ここで、図２に示すように、水槽１２の底壁に凹部１２ａを設け、エジェクタ２２の吸込管吸込口２０ａを凹部１２ａ内に位置させることが好ましく、これによって、水槽１２内に排水されずに残る汚水等の量をより少なくすることができる。
【００１７】
この例によれば、水槽１２内の水位が所定の水位に達した時に、水中ポンプ１４の運転を開始して、水槽１２内の排水を開始する。そして、水中ポンプ１４の運転に伴って、水槽１２内に水位は徐々に低下する。この時、エジェクタ２２のディフューザ３４内の圧力が高い場合は、チェッキ弁３６のボール３８が内部の水路を閉じ、これによって、水中ポンプ１４で汲み上げた流体がエジェクタ２２の吸込管２０を逆流して水槽１２内に戻ってしまうことが防止される。そして、エジェクタ２２のディフューザ３４内の圧力が所定の圧力より低くなると、吸込管２０を通して、水槽１２の底部に滞留乃至堆積する異物がエジェクタ２２内に汲み上げられ、吐出管１８から外部に排出される。
【００１８】
これにより、水槽１２の水位が、水槽１２内に設置した水中ポンプ１４の吸込口１４ａより高い位置にある状態で、したがって、モータを水没状態で運転してモータ過熱を防ぎながら、水中ポンプ１４を運転することで、水槽１２の底部に滞留乃至堆積する異物を、吸込口２０ａを水中ポンプ１４の吸込口１４ａの下方まで延出させたエジェクタ２２の吸込管２０を通して吸い上げて排出することができる。
【００１９】
図３及び図４は、本発明の他の実施の形態の排水ポンプ装置１０ａを水槽１２内に設置した状態を示している。図３に示すように、この例の排水ポンプ装置１０ａにあっては、水中ポンプ１４と着脱装置１６との間にエジェクタ２２が配置されている。そして、水中ポンプ１４とエジェクタ２２は、一体に組付けられて、着脱装置１６のガイドレール２６に沿って一体に上下動して、水槽１２内の所定の位置に設置されるようになっている。これによって、エジェクタのメンテナンスや交換等を容易かつ迅速に行うことができる。また、吐出管２０のエルボ管２８と鉛直管３０は直接連結されている。
【００２０】
エジェクタ２２は、ディフューザ吸込口３４ａが下を向くように配置され、このディフューザ吸込口３４ａと吸込管２０との間に、内部にボール３８ａを有するストレート状のチェッキ弁３６ａが介装されている。その他の構成は、前述の例と同様である。
【００２１】
なお、上記の各例において、チェッキ弁３６，３６ａを設けることなく、エジェクタ２２のディフューザ吸込口３４ａに吸込管２０を直接連結するようにしてもよい。
【００２２】
図５は、本発明の更に他の実施の形態の排水ポンプ装置１０ｂを水槽１２内に設置した状態を示している。この例にあっては、着脱装置を備えることなく、水中ポンプ１４の吐出口に吐出管１８を直接連結している。そして、吐出管１８の直管部にエジェクタ２２を設置し、鉛直方向に延びる吸込管２０をエルボ管４０を介してエジェクタ２２に連結し、更に、吸込管２０の下端の吸込口２０ａが水中ポンプ１４の吸込口の下方に延出するようにしている。
【００２３】
これまで本発明の一実施形態について説明したが、本発明は上述の実施形態に限定されず、その技術的思想の範囲内において種々異なる形態にて実施されてよいことは言うまでもない。
【図面の簡単な説明】
【００２４】
【図１】本発明の実施の形態の排水ポンプ装置を水槽内に設置した状態を示す縦断面図である。
【図２】図１に示す排水ポンプ装置の詳細を示す縦断面図である。
【図３】本発明の他の実施の形態の排水ポンプ装置を水槽内に設置した状態を示す縦断面図である。
【図４】図３に示す排水ポンプ装置の詳細を示す縦断面図である。
【図５】本発明の更に他の実施の形態の排水ポンプ装置を水槽内に設置した状態を示す縦断面図である。
【符号の説明】
【００２５】
１０，１０ａ，１０ｂ  排水ポンプ装置
１２  水槽
１４  水中ポンプ
１４ａ  ポンプ吸込口
１４ｂ  ポンプ吐出口
１６  着脱装置
１８  吐出管
２０  吸込管
２０ａ  吸込管吸込口
２２  エジェクタ
２６  ガイドレール
３２  噴流ノズル
３４  ディフューザ
３４ａ  ディフューザ吸込口
３６，３６ａ  チェッキ弁
【図１】
2008274781.tif 000003
【図２】
2008274781.tif 000004
【図３】
2008274781.tif 000005
【図４】
2008274781.tif 000006
【図５】
2008274781.tif 000007